(57)【要約】【課題】使用状態であることを認識し易く、誤って使用状態であると認識することがない送風式薬剤放散装置とする。【解決手段】装置本体１の正面１ａに、薬剤を含有した空気が流通する放出口７を開口すると共に、前記放出口７に可動体１０を、その放出口７に空気が流れる時には可動体１０が連続して動くように設け、この可動体１０を目視することで使用状態であることを認識できるようにし、前記放出口７の周囲を覆う庇８を設けて外部の風の影響で可動体１０が動かないようにして誤って使用状態であることを認識しないようにした送風式薬剤放散装置。【選択図】図２
2008148661.tif 000002
【特許請求の範囲】
【請求項１】
装置本体１は、その正面１ａに開口した放出口７を有し、
前記装置本体１に、薬剤５と送風機６を設けて当該送風機６を駆動することで前記薬剤５に空気が触れて薬剤を含む空気とし、その空気を前記放出口７から放出するようにし、
前記装置本体１に可動体１０を、正面側から目視可能で、かつ前記放出口７を流れる空気によって連続して動くように取付け、
前記装置本体１に、前記放出口７の周囲を覆う庇８を装置本体１の正面１ａよりも正面側に張り出して設けたことを特徴とする送風式薬剤放散装置。
【請求項２】
前記可動体１０は、取付部と可動部を備え、その取付部を装置本体１に、放出口７を流れる空気が可動部に触れるように取付け、前記可動部が回転又は振れ動くようにした請求項１記載の送風式薬剤放散装置。
【請求項３】
装置本体１は、その正面１ａに、装飾物２１を取付ける装飾物取付部２０を有する請求項１又は２記載の送風式薬剤放散装置。
【請求項４】
前記放出口７の内側縁に突片３９を、装置本体１の正面１ａよりも正面側に突出して設けることで、放出口７から放出された空気が装飾物取付部７に向けて流れ難くした請求項３記載の送風式薬剤放散装置。
【発明の詳細な説明】
【技術分野】
【０００１】
本発明は、芳香、消臭、害虫防除などの目的で使用される送風式薬剤放散装置に関する。
【背景技術】
【０００２】
特許文献１に開示された送風式の薬剤放散器が知られている。
この薬剤放散器は、本体内に送風機と揮散性の薬剤を設け、その送風機を駆動することで本体の吸込口から空気を吸い込み、その空気を薬剤に触れることで薬剤を含む空気とし、その薬剤を含む空気を本体の放出口から大気に放散するようにしている。
【０００３】
【特許文献１】特開２００３−１０２３６１号公報
【発明の開示】
【発明が解決しようとする課題】
【０００４】
前述の送風式の薬剤放散器は、本体の放出口から薬剤を含む空気を大気に放出するものであるが、その薬剤を含む空気が放出口から大気に放出されているのかどうか、などの使用状態を、その薬剤放散器の近くの人が分からない。
このために、本体にランプを取付け、送風機を駆動することでランプが点灯するようにすることで、使用状態を薬剤放散器の近くの人が分かるようにした送風式の薬剤放散器が提案されている。
しかし、ランプの点灯では、空気の流れなどの動く現象ではないので、実際に薬剤を含む空気が大気に放出されている実感が湧かないから、使用状態であることを認識しづらい。
【０００５】
また、従来の送風式の薬剤放散器は、持ち運び易さなどの面から電源として乾電池を用いているので、前述のようにランプを点灯することで、乾電池の寿命がそれだけ短くなってしまう。
【０００６】
本発明の目的は、使用状態であることを表示するために電力を必要としないと共に、使用状態であることを認識し易く、誤って使用状態であると認識することがない送風式薬剤放散装置を提供することである。
【課題を解決するための手段】
【０００７】
第１の発明は、装置本体１は、その正面１ａに開口した放出口７を有し、
前記装置本体１に、薬剤５と送風機６を設けて当該送風機６を駆動することで前記薬剤５に空気が触れて薬剤を含む空気とし、その空気を前記放出口７から放出するようにし、
前記装置本体１に可動体１０を、正面側から目視可能で、かつ前記放出口７を流れる空気によって連続して動くように取付け、
前記装置本体１に、前記放出口７の周囲を覆う庇８を装置本体１の正面１ａよりも正面側に張り出して設けたことを特徴とする送風式薬剤放散装置である。
【０００８】
第２の発明は、第１の発明において、前記可動体１０は、取付部と可動部を備え、その取付部を装置本体１に、放出口７を流れる空気が可動部に触れるように取付け、前記可動部が回転又は振れ動くようにした送風式薬剤放散装置である。
【０００９】
第３の発明は、第１又は第２の発明において、前記装置本体１は、その正面１ａに、装飾物２１を取付ける装飾物取付部２０を有する送風式薬剤放散装置である。
【００１０】
第４の発明は、第３の発明において、前記放出口７の内側縁に突片３９を、装置本体１の正面１ａよりも正面側に突出して設けることで、放出口７から放出された空気が装飾物取付部７に向けて流れ難くした送風式薬剤放散装置である。
【発明の効果】
【００１１】
第１の発明によれば、薬剤を含有した空気が放出口７から装置本体１の正面側に放出されている時には、空気によって可動体１０が連続して動くので、その可動体１０が動いていることを目視することで使用状態であることを認識できる。
したがって、使用状態であることを表示するために電力を必要としないと共に、使用状態であることを認識し易い。
また、庇８によって外部の風の影響で可動体１０が動くことがないようにできるので、誤って使用状態であることを認識することがない。
【００１２】
第２の発明によれば、可動体１０の可動部が回転又は振れ動くので、その可動部を見ることで楽しい感じを受ける。
したがって、使用状態の時の見栄えが好ましいものとなる。
【００１３】
第３の発明によれば、装置本体１の正面１ａは装飾物取付部２０に取付けた装飾物２１によって見栄えが良くなるので、人が目視することで好ましい感じを受けるようになる。
【００１４】
第４の発明によれば、放出口７から放出される薬剤を含有した空気によって装飾物２１が汚れることが少ない。
【発明を実施するための最良の形態】
【００１５】
本発明の第１の実施の形態を図１〜図３に基づいて説明する。
装置本体１は、吸気口２と吐出口３を連通する空気流通路４を有し、この空気流通路４に薬剤５と送風機６を設け、その送風機６を駆動することで薬剤５に空気が触れて薬剤を含有した空気とし、その空気を吐出口３から吐出するようにしてある。
前記装置本体１は、前記吐出口３を装置本体１の正面１ａに開口連通する放出口７を有し、前述の空気を装置本体１の正面１ａから正面側に向けて放出する。
前記装置本体１には放出口７の周囲を覆う庇８が装置本体１の正面１ａよりも正面側に張り出して設けることで、この庇８と装置本体１の正面１ａとで放出口７の正面側に空間９を形成し、前記放出口７に外部からの風の影響がないようにしてある。
【００１６】
前記放出口７には可動体１０が設けてあり、この放出口７に前述の空気が流れることで可動体１０が連続して動くようにしてある。
この可動体１０は装置本体１の正面側から目視できる。
【００１７】
このようであるから、使用状態においては可動体１０が連続して動き、それを使用者が正面から目視することで使用状態であることを認識でき、使用状態であることを認識し易い。
また、薬剤を含有した空気の流れを利用しているから、使用状態であることを表示するための新たな電力を必要としない。
【００１８】
しかも、庇８によって放出口７に外部の風の影響がないようにしているので、未使用時に外部の風によって可動体１０が動くことがなく、誤って使用状態であると認識することがない。
要するに、送風機６による風力は弱いので、放出口７を流れる薬剤を含有した空気の風力が弱く、可動体１０は僅かな風力で動くようにする必要があるので、庇８がない場合には外部の風の影響が放出口７に直接作用して可動体１０が動くことがある。特に、電池を電源として駆動する送風機の場合には風力が弱い。
ここで、外部の風とは冷暖房機器による空気の流れ、屋内に流れ込んだ屋外の風、屋内の換気による空気の流れ、装置近くを人が通行した時の風などである。
【００１９】
この実施の形態では、前記装置本体１の正面１ａには装飾物取付部２０が設けてある。
この装飾物取付部２０に装飾物２１が取付けてある。
この装飾物２１としては造花などが用いられるが、図１、図２では装飾物２１を仮想線で矩形状に図示してある。
このようであるから、装置を正面側から見た時に装飾物２１が見えるので、人が好ましい感じを受ける。
【００２０】
次に、各部の具体形状を説明する。
前記装置本体１は、上面板３０と下面板３１と左右の側面板３２と正面板３３と背面板３４と仕切り横板３５で、送風機収容室３６、電池収容室３７、正面に開口した空洞部３８を有し、その空洞部３８が吐出口３で送風機収容室３６に連通して放出口７としてある。
前記上面板３０の正面側端面と側面板３２の正面側端面とに亘って一体に連続して庇８が設けてある。
【００２１】
前記装置本体１の正面１ａが、前述の装飾物取付部２０である。
この実施の形態では、前記正面板３３の下部にＬ字状の板２２を取付け、この板２２と正面板３３で上面が開口した凹陥部２３を形成して装飾物支持部とし、その板２２よりも上方が装飾物目視部としてある。
このようであるから、装飾物２１の下部を凹陥部２３内に挿入して取付けることで、装飾物２１の上部が装飾物目視部に露出するから、正面から目視できる。
【００２２】
この装飾物取付部２０は凹陥部２３を備えていない平面形状でも良く、その場合には装飾物２１を接着テープ片、止めピンなどの留め具で取付ければ良い。
【００２３】
前記薬剤５は、薬剤担持体５ａを通気性容器５ｂに入れ、通気性蓋５ｃで抜けないように保持している。
前記送風機６はモータ６ａでファン６ｂを駆動する。このモータ６ａは電池収容室３７に収容した電池を電源として駆動される。
【００２４】
前記可動体１０は、可動部と取付部を備え、その取付部を装置本体１に固着することで可動部が正面側から目視されると共に、可動部に薬剤を含有した空気が触れて可動するものである。例えば、中空の矩形体１１を軸１２に回転自在に取付けたもので、その軸１２を上面板３０に固着して取付けることによって、その中空の矩形体１１に空気が触れて回転するようにしてある。
【００２５】
この実施の形態では、正面板３３の上端面と仕切り横板３５が同一高さに連続し、それらと上面板３０の内面とが離隔して両者の間に空洞部３８を形成している。
この空洞部３８を吐出口３に連通すると共に、正面側に開口して放出口７としてある。
前記正面板３３の上端縁（つまり、放出口７の内側縁）には突片３９が正面１ａよりも正面側に突出して設けてあり、この突片３９によって放出口７から放出された薬剤を含有した空気が装飾物取付部２０に向けて流れ難くしてある。
したがって、薬剤を含有した空気が装飾物２１に触れることが減少し、装飾物２１が薬剤で汚れることが低減する。
【００２６】
次に、他の実施の形態について説明する。
前記放出口７の正面形状は、半円形上面と直線下面でほぼかまぼこ型としてあるが、矩形状、三角形状など任意の形状とすることができる。
【００２７】
また、放出口７は上面板３０と仕切り横板３５との間に形成したが、正面板３３を上面板３０まで連続させ、その正面板３３に孔や切欠きを形成して放出口７としても良い。
例えば、図４に示すように正面板３３を上面板３０まで連続させ、その正面板３３に切欠部３３ａを形成して放出口７とする。
【００２８】
また、仕切り横板３５を用いずに庇８と上面板３０とで放出口７を形成することもできる。
例えば、図５に示すように、上面板３０で送風機収容室３６を形成し、その上面板３０に吐出口３を形成する。
この上面板３０の上面に庇８を設け、この庇８の吐出口３と対向した部分に凹部８ａを形成し、この凹部８ａと上面板３０とで放出口７を形成する。
そして、庇８を装置本体１の正面１ａよりも正面側に突出する。
前記可動体１０は庇８の凹部８ａに取付ける。
【００２９】
前記放出口７は、装置本体１の上部に形成したが、下部に形成しても良いし、左右の側部に形成しても良く、さらには上部、下部、側部の全部、又はいくつかに形成しても良い。
【００３０】
要するに、前記放出口７は、装置本体１周面の上部中央、上部全域、上部角、側部の適所、両側部の適所、下部又は前述の組み合わせなどと周面の各所に設けることができる。
また、放出口７は、装置本体１の周面と正面との間に設けた開口形状、又は装置本体１の正面に設け周面から離間した開口形状からなる。また、放出口７の数は特に限定されない。
また、放出口７の大きさや数は、可動体１０に風力が集中する、風圧が低下しないように、また使用する可動体１０の種類によって決めることが好ましい。
【００３１】
要するに、前記可動体１０としては、風で揺れる羽、綿、髪、毛、紙、繊維、軽量金属、軽量プラスチック等材料からなる糸状、小片、簾状などの物体、また前記材料等からなる風鈴、風車、ファンなどの物体、それらの物体を収納した籠などが挙げられる。
【００３２】
前記可動体１０は、放出口７、又は放出口７の近傍に取付けられる。例えば、周囲から目視できる放出口７の面前（空間９内）、また正面から目視できる放出口７の出口面、また可動体１０の一部が目視できる放出口７の内面（空気流通路４）が挙げられる。
前記可動体１０を取付ける部位としては、放出口７上方の装置本体１の上面板３０、側面板３２の内面、外面、先端、また装置本体１の正面板３３に設けた孔では正面板３３の孔上方、周囲、中央、又は放出口７を挟む側面板３２と正面板３３との両端などが挙げられる。
要するに、可動体１０は正面側から目視されると共に、放出口７を流れる空気に触れて連続して動くように取付ければ良い。
【００３３】
前記可動体１０を取付ける手段としては、可動体１０の取付部を、前述の各取付部位に接着剤による接着、溶融による溶着、留め具による固定など手段で固定する。
または各取付部位に着脱自在に固着するようにしても良い。例えば、放出口７の上部に先端に通じる細長い切れ目を設け、可動体１０の取付部を先端から差し込まれる、また上部に小穴を設け、可動体１０の取付部を差し込む、また可動体の取付部をコ字状等の形状とし、上部の先端に嵌め込む、又は正面板３３に設けた孔の上面、周囲面などの凹凸や小穴などの取付部を設け、可動体１０の取付部を取付けるなどの手段が挙げられる。
【００３４】
前記可動体１０は、矩形体１１を回転するものとしたが、回転には限ることはなく、揺動するものでも良いし、波形のように振れ動くもの等でも良い。
例えば、図６（ａ）に示すように、風でなびく糸状の揺れ物体１３の基端部（取付部）を固定して先端部（可動部）が下向きとなるように吊り下げて取付けて可動体１０とする。
また、図６（ｂ）に示すように、風でなびく簾状の揺れ物体１４の基端部（取付部）を固定して先端部（可動部）が下向きとなるように吊り下げて取付けて可動体１０とする。
【００３５】
前記庇８の形状は、図１〜図３に示すように装置本体１の正面１ａの上面、左右側面に沿って一体的に設けると共に、上部（放出口７側）の突出寸法が最大で、下部（放出口７と反対側）に向けて順次小さくなるように斜めとしてあるが、上部から下部まで突出寸法が同一であっても良い。
また、庇８は装置本体１の放出口７部分にのみ設けても良い。例えば、図４に示すように上面板３０のみに設ける。
また、庇８に間欠的に模様を設けてデザイン性を良くすることもできる。
【００３６】
前記薬剤５は装置本体１の背面側に設け、背面側から空気を吸い込んで、薬剤を含有した空気を正面側に放出するようにしたが、薬剤５を正面側に設けて空気を正面側から吸い込んで、薬剤を含有した空気を正面側に放出するようにしても良い。
【００３７】
例えば、図７、図８に示すように、装置本体１の正面１ａ（正面板３３）に吸気口２を形成し、この吸気口２の周縁に薬剤５を取付ける。
この薬剤５は、薬剤担持体５ａを枠５ｄ内に設けたもので、その枠５ｄを吸気口２と同心状の凹部３３ｂに嵌合して取付けてある。
また、前記装置本体１の上面板３０は平板状で、放出口７が矩形状であると共に、その上面板３０が斜めになって放出口７の開口部が奥部よりも大きくしてある。
また、可動体１０は前述した揺れ物体１４で、上面板３０のスリット３０ａに取付部１４ａを差し込み、可動部１４ｂを放出口７に突出して取付けてある。
【００３８】
以上の各実施の形態は装飾物取付部２０を備えているが、この装飾物取付部２０を設けなくとも良い。
【００３９】
本発明に用いられる装飾物として、花、観葉植物、草花、アートフラワーリース、アートフラワーガーランドなどの人工花、草、木や犬、猫、鳥、魚、蝶、などの創作動物、昆虫や果実、乗物、人形、ぬいぐるみ、写真、リボン、ペーパークラフト、造形織物、造形物を有する織物など見て美しい物、楽しいもの、癒やすもの、好きなもの、などが挙げられる。
例えば、造花例としては壁掛け調、花輪調、コサージュ調、ブーケ緒、髪飾り調、寄せ花調、花瓶等挿し花調、一輪挿し調、枝垂調、などのオリジナル造花が挙げられる。
【００４０】
本発明の薬剤担持体５ａの材質として無機質及び有機質の成形材料から成形されたものとしては、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤担持体５ａをファン４に保持しても良い。
また、薬剤として前記のように薬効成分を含浸した薬剤含浸体の他に、薬効成分を適当な溶剤、例えばノルマルパラフィン、イソパラフィン、ナフテン系炭化水素等の石油系溶剤に溶解した油性薬剤、又は水、界面活性剤等を用いて可溶化させた水性薬液を収容した薬剤ボトルでも良い。
【図面の簡単な説明】
【００４１】
【図１】本発明の第１の実施の形態を示す正面図である。
【図２】図１のＡ−Ａ断面図である。
【図３】本発明の第１の実施の形態を示す斜視図である。
【図４】本発明の第２の実施の形態を示す正面図である。
【図５】本発明の第３の実施の形態を示す正面図である。
【図６】可動体の他の実施の形態を示す正面図である。
【図７】本発明の第４の実施の形態を示す正面図である。
【図８】図７のＢ−Ｂ断面図である。
【符号の説明】
【００４２】
１…装置本体、１ａ…正面、２…吸気口、３…吸気口、４…空気流通路、５…薬剤、６…送風機、７…放出口、８…庇、１０…可動体、２０…装飾物取付部、２１…装飾物。
【図１】
2008148661.tif 000003
【図２】
2008148661.tif 000004
【図３】
2008148661.tif 000005
【図４】
2008148661.tif 000006
【図５】
2008148661.tif 000007
【図６】
2008148661.tif 000008
【図７】
2008148661.tif 000009
【図８】
2008148661.tif 000010